(57)【要約】【課題】  表示部材を確実に固定でき、防水性にも優れるとともに、加工、組み立てが簡単な表示体を提供する。【解決手段】  切り抜き部１３が形成された前面板１２と、前記切り抜き部１３に前方から嵌合する凸部が形成された表示部材１４と、前記凸部の端面を覆い、かつ、該端面の全周から前記前面板１２の後面に延出するように貼着された粘着フィルムとを備えた表示体１０である。前記端面と前記後面とに跨るように配設された固定部材を備えることが好ましい。【選択図】  図１
2006011245.tif 000002
【特許請求の範囲】
【請求項１】
切り抜き部が形成された前面板と、
前記切り抜き部に前方から嵌合する凸部が形成された表示部材と、
前記凸部の端面を覆い、かつ、該端面の全周から前記前面板の後面に延出するように貼着された粘着フィルムとを備えていることを特徴とする表示体。
【請求項２】
前記端面と前記後面とに跨るように配設された固定部材を備えることを特徴とする請求項１に記載の表示体。
【請求項３】
前記表示部材と前記粘着フィルムとは透光性であって、前記前面板の後方には光源が備えられていることを特徴とする請求項１に記載の表示体。
【発明の詳細な説明】
【技術分野】
【０００１】
本発明は、例えば建物の屋上、壁面、欄間、袖に設置される看板などの表示体に関する。
【背景技術】
【０００２】
各種店舗や企業の屋上、壁面、欄間、袖などには、その店舗名、企業名、ロゴなどを示す表示体が設けられていることが多い。
このようなものとしては、例えば図５に示すように、矩形の枠体４１と、枠体４１に取り付けられた金属製の前面板４２と、前面板４２に対向して設けられた図示略の背面板とを備えたパネル状の内照式表示体４０がある。
この例の前面板４２には、企業名など、表示したい文字が切り抜かれた切り抜き部４３が形成され、この切り抜き部４３には、前面板４２の後方からアクリル樹脂板などの透光性板材４４が張り付けられている。また、枠体４１と前面板４２と背面板とからなるパネルの内部には蛍光灯などの図示略の光源が設置されていて、切り抜き部４３に張り付けられた透光性板材４４から光が透過することによって、文字の視認性が高められた構成となっている。
【０００３】
ところが、この例のような表示体４０は、外側から見ると文字の部分が凹んでいるために、外観が良好ではないという問題があった。また、このような凹み部分には塵や埃が溜まりやすいとともに、切り抜き部４３と透光性板材４４との隙間から表示体４０の内側に雨水などが侵入しやすいという問題もあった。
そこで図６に示すように、前面板４２の切り抜き部４３に、この切り抜き部４３に嵌合する凸部４５ａが形成された透光性の表示部材４５を内側から嵌め込むことによって、文字の部分の凹みをなくして外観を向上させるとともに、塵や埃が溜まりにくい構造とした表示体５０がある。そして、この表示体５０においては、表示部材４５の周囲にコーキング材４６を施すことによって雨水の浸入を防いでいる。
【発明の開示】
【発明が解決しようとする課題】
【０００４】
しかしながら、このような表示体では、表示部材が切り抜き部に嵌め込まれることによってのみ固定されるため、これが切り抜き部から脱落しないように、切り抜き部と凸部の大きさを厳密に調整する必要があり加工に手間がかかった。
さらにこの表示体の設置環境によっては、このように厳密に調整を行っても、表示部材と前面板との膨張率の違いなどによって、表示部材の固定が経時的に不十分となる可能性もあった。
また、表示部材の全周をコーキング材で塞ぐ方法は手間がかかり、表示体の組み立てに時間を要した。
【０００５】
本発明は上記事情に鑑みてなされたもので、表示部材を確実に固定でき、防水性にも優れるとともに、加工、組み立てが簡単な表示体を提供することを課題とする。
【課題を解決するための手段】
【０００６】
本発明の表示体は、切り抜き部が形成された前面板と、前記切り抜き部に前方から嵌合する凸部が形成された表示部材と、前記凸部の端面を覆い、かつ、該端面の全周から前記前面板の後面に延出するように貼着された粘着フィルムとを備えていることを特徴とする。
前記端面と前記後面とに跨るように配設された固定部材を備えることが好ましい。
前記表示部材と前記粘着フィルムとは透光性であって、前記前面板の後方には光源が備えられていることが好ましい。
【発明の効果】
【０００７】
本発明の表示体は、切り抜き部が形成された前面板と、切り抜き部に前方から嵌合する凸部が形成された表示部材と、凸部の端面を覆い、かつ、該端面の全周から前面板の後面に延出するように貼着された粘着フィルムとを備えているので、粘着フィルムが表示部材を確実に固定するとともに、防水材としても作用する。よって、加工、組み立てに手間や時間をかけずに、表示部材が確実に固定され、防水性にも優れた表示体とすることができる。
また、凸部の端面と前面板の後面とに跨るように配設された固定部材を備えることにより、表示部材が前面板の前方に脱落することを防止でき、より確実に固定できる。
また、表示部材と固定部材を透光性とし、前面板の後方に光源を備えることにより、内照式の表示体にも対応できる。
【発明を実施するための最良の形態】
【０００８】
以下、本発明について図面を用いて詳細に説明する。
図１〜図４は、本発明の一例である内照式の表示体１０を示すものであって、金属製の矩形の枠体１１と、枠体１１に取り付けられた金属製の前面板１２と、前面板１２に対向して設けられた背面板１５とを備えたパネル状のものである。
前面板１２には、企業名などを示す文字の形状に切り抜かれた切り抜き部１３が形成され、この切り抜き部１３には、アクリル樹脂、ポリカーボネート樹脂、ＦＲＰ、塩化ビニル系樹脂などの透光性の材料からなる板状の表示部材１４が、前方から嵌合されている。
また、枠体１１と前面板１２と背面板１５とから形成されるパネル体の内部には、蛍光灯、ネオン管、ＬＥＤなどの光源１６が安定器１７とともに設置されていて、切り抜き部１３に嵌め込まれた表示部材１４から光が外部に透過することによって、文字が目立ち、その視認性が高められた構成となっている。なお図中、符号１８は建物の壁である。
【０００９】
ここで表示部材１４は、切り抜き部１３と嵌合するように、切り抜き部１３と同じ文字の形状に形成された凸部１４ａと、凸部１４ａと同じ文字の形状、すなわち略相似形とされ、凸部１４ａよりも文字の面積が大きく形成された表示部１４ｂとからなっている。
凸部１４ａは、その奥行Ｄ１が前面板１２の厚さＤ２と同じに形成され、切り抜き部１３に嵌合した際に、その端面１４ｃが前面板１２の後面１２ａと面一となるようにされている。この例においては、Ｄ１およびＤ２は２ｍｍとされている。
また、表示部１４ｂは、凸部１４ａよりも文字の面積が大きく形成されているために、凸部１４ａが切り抜き部１３に前方から嵌合した際にも前面板１２に掛止し、前面板１２よりも前方に突出して留まるようになっている。通常、表示部１４ｂは、凸部１４ａよりも全周にわたって２〜３ｍｍ程度大きく形成される。
【００１０】
そして、この例においては、表示部材１４を前面板１２の切り抜き部１３に固定するために、透光性の粘着フィルム１９を使用している。
すなわち、図４に一部を拡大して示すように、凸部１４ａの端面１４ｃよりも面積が大きな粘着フィルム１９を、凸部１４ａの端面１４ｃ全体を覆い、かつ、端面１４ｃの全周から前面板１２の後面１２ａに延出するように、後方から貼着することによって、表示部材１４がぐらついたり、切り抜き部１３から外れて前方に脱落したりしないように固定されている。
【００１１】
このように粘着フィルム１９を使用することによって、切り抜き部１３の大きさと凸部１４ａの大きさとを厳密に調整して嵌合の精度を上げなくても、表示部材１４を前面板１２に確実に固定できるため、加工の手間が省ける。また、粘着フィルム１９の貼着により、切り抜き部１３と表示部材１４との隙間からの雨水などの浸入も防ぐことができるので、コーキング処理をする場合に比べて組み立てが短時間で済む。
また、この例のような内照式の表示体１０の場合には、粘着フィルム１９を透光性の材料から形成することによって、その外観にも影響を与えることがない。
【００１２】
透光性の粘着フィルム１９としては、例えば、アクリル樹脂、塩化ビニル系樹脂などの透光性樹脂フィルムの片面に、アクリル樹脂、塩化ビニル系樹脂などからなる粘着層が形成されたものが挙げられる。透光性樹脂フィルムの厚さ、粘着層の厚さには特に制限はないが、それぞれ通常５０〜１００μｍ、３０〜５０μｍ程度である。
使用する粘着フィルム１９の面積、形状は、凸部１４ａの端面１４ｃ全体を被覆するとともに、端面１４ｃの全周から前面板１２の後面１２ａに延出するように貼着して、表示部材１４を確実に固定できる限り、適宜設定できる。好ましくは、面積は凸部１４ａの端面１４ｃの面積の１．５〜１．６倍程度であって、凸部１４ａの全周からの延出の程度は、少なくとも３ｃｍである。
【００１３】
さらに、この例では、表示部材１４が前面板１２の前方に脱落するのを防止するために、前面板１２の後面１２ａと凸部１４ａの端面１４ｃとに跨るように、後方から透光性の固定部材２０が複数配設されている。具体的には、粘着フィルム１９における各固定部材２０に対応する部分は切り抜かれ、固定部材２０は前面板１２の後面１２ａと凸部１４ａの端面１４ｃとに直に接している。そして、少なくとも固定部材２０と凸部１４ａの端面１４ａとは接着剤により接着されている。よって、表示部材１４が前面板１２の前方に脱落するような力が作用した場合であっても、固定部材２０が切り抜き部１３に掛止することによって脱落が防止される。
また、この場合も、固定部材２０を透光性の材料から形成することによって、表示体１０が光源を備えた形態であっても、その外観に影響を与えない。
【００１４】
このような固定部材２０としては、アクリル樹脂、塩化ビニル系樹脂など透光性の材料から形成される直方体の部材に、アクリル樹脂、塩化ビニル系樹脂などからなる接着層が形成されたものが例示できる。
固定部材２０の大きさには特に制限はないが、一辺が１０〜２０ｍｍの範囲の直方体、立方体などが好ましい。また、その使用個数は、表示部材１４の大きさ、質量、固定部材２０の大きさなどに応じて適宜設定できるが、１つの表示部材１４に対して少なくとも１個以上、好ましくは８〜１２個程度使用する。
【００１５】
以上説明したようにこのような表示体１０は、切り抜き部１３が形成された前面板１２と、切り抜き部１３に前方から嵌合する凸部１４ａが形成された表示部材１４と、凸部１４ａの端面１４ｃを覆い、かつ、該端面１４ｃの全周から前面板１２の後面１２ａに延出するように貼着された粘着フィルム１９とを備えているので、粘着フィルム１９が表示部材１４を確実に固定するとともに、防水材としても作用する。よって、加工、組み立てに時間、手間がかからず、表示部材１４が確実に固定され、防水性にも優れる。
また、端面１４ｃと後面１２ａとに跨るように接着された固定部材２０を備えることにより、表示部材１４の脱落を防止し、さらに確実に表示部材１４を固定できる。
また、表示部材１４と固定部材２０を透光性とし、前面板１２の後方に光源を備えることにより、夜間や暗い場所でも視認性の高い表示体１０とすることもできる。
【００１６】
なお、以上の例においては、前面板１２の後方に光源を備えた型の表示体１０を挙げて説明したが、必ずしも光源を備えたものに限定されない。その場合には、表示部材１４や粘着フィルム１９、固定部材２０は透光性でなくてもよく、種々の材質のものを使用できる。
また、表示部材１４の表示内容も文字に限定されず、各種の記号などでもよいし、表示体１０の設置場所、設置目的などにも制限はない。
また、前面板１２における切り抜き部１３の形状は、必ずしも表示する文字などに沿った形状でなくてもよいし、表示体１０の形態もパネル状に限定されない。
【図面の簡単な説明】
【００１７】
【図１】本発明の表示体の一例を概略的に示す斜視図である。
【図２】図１のＡ−Ａ’線に沿う縦断面図である。
【図３】図２の要部を示す断面図である。
【図４】図１の前面板の一部を拡大した後方からの平面図である。
【図５】従来の表示体を示す（ａ）斜視図と、（ｂ）（ａ）のＢ−Ｂ’線に沿う縦断面図である。
【図６】他の従来の表示体の要部を示す断面図である。
【符号の説明】
【００１８】
１０    表示体
１２    前面板
１２ａ  前面板の後面
１３    切り抜き部
１４    表示部材
１４ａ  表示部材の凸部
１４ｃ  表示部材の凸部の端面
１９    粘着フィルム
２０    固定部材
【図１】
2006011245.tif 000003
【図２】
2006011245.tif 000004
【図３】
2006011245.tif 000005
【図４】
2006011245.tif 000006
【図５】
2006011245.tif 000007
【図６】
2006011245.tif 000008